【手続補正書】
【提出日】平成30年2月9日(2018.2.9)
【手続補正１】
【補正対象書類名】特許請求の範囲
【補正対象項目名】全文
【補正方法】変更
【補正の内容】
【特許請求の範囲】
【請求項１】
物体を形成するプリンタであって、
表面を有する導電性下地と、
印刷ヘッド内のインクジェットを通して非導電性インクを前記導電性下地の前記表面上に吐出するよう構成される前記印刷ヘッドと、
導電性部材と、
前記導電性部材に動作可能に接続する電流センサであって、前記導電性部材内で電流が検知されると、電気信号を生成するよう構成される電流センサと、
前記印刷ヘッドと向かい合う第１の位置と前記導電性部材と向かい合う第２の位置との間で前記導電性下地を移動させるよう構成される下地搬送部と、
前記導電性部材に動作可能に接続するアクチュエータであって、前記導電性下地が前記第２の位置のときに前記導電性部材を前記導電性下地に向けて移動させるよう構成されるアクチュエータと、
前記印刷ヘッド、前記下地搬送部、および前記アクチュエータに動作可能に接続する制御装置であって、前記印刷ヘッドを操作して、所定のパターンに準拠して前記導電性下地の前記表面上にインクを吐出させ、前記下地搬送部を選択的に操作し、前記アクチュエータを操作して、前記導電性部材を前記導電性下地に向けて所定の距離だけ移動させ、前記電流センサにより生成される前記信号を受け取り、前記電流センサから受け取られる前記信号および前記所定のパターンを参照して、前記印刷ヘッド内の動作不能インクジェットを検知するよう構成される制御装置と、を含むプリンタ。
【請求項２】
前記所定のパターンを参照して配列される複数の導電性部材と、
前記複数の導電性部材と１対１の関係で動作可能に接続する複数の電流センサであって、前記電流センサが動作可能に接続する前記導電性部材内で電流が検知されると、電気信号を生成するようそれぞれ構成される複数の電流センサと、をさらに含み、
前記制御装置が、各電流センサに操作可能に接続し、前記複数の電流センサにより生成される前記電気信号を参照して、動作不能インクジェットを検知するようさらに構成される、請求項１に記載のプリンタ。
【請求項３】
前記所定のパターンと、前記複数の導電性部材および前記複数の電流センサの前記配列とが、前記印刷ヘッド内のインクジェットの配列に対応する、請求項２に記載のプリンタ。
【請求項４】
各導電性部材が、
前記導電性部材の残りの部分に対して移動可能な端部と、
前記導電性部材の前記端部を前記残りの部分から離すよう構成される付勢部材と、をさらに含む、請求項２に記載のプリンタ。
【請求項５】
物体を形成するプリンタであって、
表面を有する導電性下地と、
前記印刷ヘッド内のインクジェットを通して非導電性インクを前記導電性下地の前記表面上に吐出するよう構成される印刷ヘッドと、
導電性部材と、
前記導電性部材に動作可能に接続する電流センサであって、前記導電性部材内で電流が検知されると、電気信号を生成するよう構成される電流センサと、
前記印刷ヘッドおよび前記導電性部材に動作可能に接続する第１のアクチュエータであって、前記印刷ヘッドが前記導電性下地の前記表面と向かい合い、前記導電性部材が前記導電性下地の前記表面と向かい合わない第１の位置と、前記印刷ヘッドが前記導電性下地の前記表面と向かい合わないで、前記導電性部材が前記導電性下地の前記表面と向かい合う第２の位置との間で前記印刷ヘッドおよび前記導電性部材を移動させるよう構成される第１のアクチュエータと、
前記導電性部材に動作可能に接続する第２のアクチュエータであって、前記導電性部材が前記第２の位置のときに前記導電性部材を前記導電性下地に向けて移動させるよう構成される第２のアクチュエータと、
前記印刷ヘッド、前記第１のアクチュエータ、および前記第２のアクチュエータに動作可能に接続する制御装置であって、前記印刷ヘッドを操作して、所定のパターンに準拠して前記導電性下地の前記表面上にインクを吐出させ、前記第１のアクチュエータを選択的に操作し、前記第２のアクチュエータを操作して、前記導電性部材を前記導電性下地に向けて所定の距離だけ移動させ、前記電流センサにより生成される前記信号を受け取り、前記電流センサから受け取られる前記信号および前記所定のパターンを参照して、前記印刷ヘッド内の動作不能インクジェットを検知するよう構成される制御装置と、を含むプリンタ。
【請求項６】
前記所定のパターンを参照して配列される複数の導電性部材と、
前記複数の導電性部材と１対１の関係で動作可能に接続する複数の電流センサであって、前記電流センサが動作可能に接続する前記導電性部材内で電流が検知されると、電気信号を生成するようそれぞれ構成される複数の電流センサと、をさらに含み、
前記制御装置が、各電流センサに操作可能に接続し、前記複数の電流センサにより生成される前記電気信号を参照して、動作不能インクジェットを検知するようさらに構成される、請求項５に記載のプリンタ。
【請求項７】
前記所定のパターンと、前記複数の導電性部材および前記複数の電流センサの前記配列とが、前記印刷ヘッド内のインクジェットの配列に対応する、請求項６に記載のプリンタ。
【請求項８】
各導電性部材が、
前記導電性部材の残りの部分に対して移動可能な端部と、
前記導電性部材の前記端部を前記残りの部分から離すよう構成される付勢部材と、をさらに含む、請求項６に記載のプリンタ。
【請求項９】
３次元の物体を形成するプリンタ内に組み込まれて、動作不能インクジェットを検知する装置であって、
表面を有する導電性下地と、
導電性部材と、
前記導電性部材に動作可能に接続する電流センサであって、前記導電性部材内で電流が検知されると、電気信号を生成するよう構成される電流センサと、
下地搬送部および前記導電性部材に動作可能に接続する第１のアクチュエータであって、前記導電性下地が前記導電性部材と向かい合わない第１の位置と、前記導電性下地が前記導電性部材と向かい合う第２の位置との間で前記導電性下地を移動させるよう構成される第１のアクチュエータと、
前記導電性部材に動作可能に接続する第２のアクチュエータであって、前記導電性部材が前記導電性下地と向かい合うときに前記導電性部材を前記導電性下地に向けて移動させるよう構成される第２のアクチュエータと、
前記第１のアクチュエータおよび前記第２のアクチュエータに動作可能に接続する制御装置であって、前記第１のアクチュエータを操作して、前記第１の位置と前記第２の位置の間で前記導電性下地を移動させ、前記第２のアクチュエータを操作して、前記導電性部材を前記導電性下地に向けて所定の距離だけ移動させ、前記電流センサにより生成される前記信号を受け取り、前記導電性下地上に材料を吐出するように印刷ヘッドを操作するために用いられる所定のパターン、および前記電流センサから受け取られる前記信号を参照して、前記印刷ヘッド内の動作不能インクジェットを検知するよう構成される制御装置と、を含む装置。
【請求項１０】
前記所定のパターンを参照して配列される複数の導電性部材と、
前記複数の導電性部材と１対１の関係で動作可能に接続する複数の電流センサであって、前記電流センサが動作可能に接続する前記導電性部材内で電流が検知されると、電気信号を生成するようそれぞれ構成される複数の電流センサと、をさらに含み、
前記制御装置が、各電流センサに操作可能に接続し、前記複数の電流センサにより生成される前記電気信号を参照して、動作不能インクジェットを検知するようさらに構成される、請求項９に記載の装置。
【請求項１１】
前記所定のパターンと、前記複数の導電性部材および前記複数の電流センサの前記配列とが、前記印刷ヘッド内のインクジェットの配列に対応する、請求項１０に記載の装置。
【請求項１２】
各導電性部材が、
前記導電性部材の残りの部分に対して移動可能な端部と、
前記導電性部材の前記端-部を前記残りの部分から離すよう構成される付勢部材と、をさらに含む、請求項１０に記載の装置。
【請求項１３】
請求項１０に記載の装置であって、
前記導電性部材に近接して配置されたワイパをさらに含み、
前記制御装置は、前記ワイパに動作可能に接続するアクチュエータに動作可能に接続し、前記制御装置はさらに、当該アクチュエータを操作することで、前記導電性部材の移動中に前記導電性部材を前記ワイパに接触させて、非導電性インクを前記導電性部材から除去するように構成されている、装置。